(57)【要約】      （修正有）【課題】人形型携帯電話の提供。【解決手段】人形型携帯電話にはケース、ソフト外装、通信モジュール、マンマシンインターフェイス（ＭＭＩ）がある。ケースには頭部、本体、そして少なくとも一つの脚部があり、頭部と脚部は本体に繋がっている。ソフト外装はケースを被いファスナーによりその表面に固定されており、ファスナーはケース表面またはソフト外装にある。通信信号を伝えるためにケースに通信モジュールを設ける。マンマシンインターフェイスをケースに設けて通信モジュールと電気的に繋いで、通信モジュールをコントロールするが、マンマシンインターフェイスをコマンド入力ユニット、音声入力ユニット、音声出力ユニット、画像出力ユニットで構成してもよい。【選択図】図１Ａ
0003104727.tif 000002
【実用新案登録請求の範囲】
【請求項１】
頭部と脚部が本体に繋がっており本体に関して回転できるようになっている状態で、
頭部、本体、少なくとも一つの脚部で構成するケース、
ケースを被いファスナーによりケース部分に取り付けられるソフト外装、
通信信号を送受信するためにケースに配置した通信モジュール、および、
通信モジュールをコントロールするために、ケースに配置して通信モジュールと電気的に繋がっているマンマシンインターフェイス（ＭＭＩ）
で構成することを特徴とする人形型携帯電話。
【請求項２】
ファスナーを、マジックテープ、フック、接着剤、紐、ボタンから成るグループより選んだ要素で構成することを特徴とする請求項１に記載の人形型携帯電話。
【請求項３】
マンマシンインターフェイスをコマンドユニット、音声入力ユニット、音声出力ユニットで構成することを特徴とする請求項１に記載の人形型携帯電話。
【請求項４】
マンマシンインターフェイスを画像出力ユニットで構成することを特徴とする請求項１に記載の人形型携帯電話。
【請求項５】
画像出力ユニットをケースの本体またはケースの頭部に配置することを特徴とする請求項４に記載の人形型携帯電話。
【請求項６】
画像出力ユニットが顔を表示するために丸い形状であることを特徴とする請求項５に記載の人形型携帯電話。
【請求項７】
マンマシンインターフェイスをコマンド入力ユニットおよび画像出力ユニットで構成することを特徴とする請求項１に記載の人形型携帯電話。
【請求項８】
コマンド入力ユニットおよび画像出力ユニットをタッチパネル画面に一体化していることを特徴とする請求項７に記載の人形型携帯電話。
【請求項９】
ソフト外装を織物および皮革からなるグループより選んだ材料で構成することを特徴とする請求項１に記載の人形型携帯電話。
【考案の詳細な説明】
【技術分野】
【０００１】
本考案は人形型携帯電話に関するものである。さらに言えば、本考案は、人形型のケースおよびケース表面をカバーするソフト外装で構成する人形型携帯電話に関するものである。
この申請は、２００３年１２月８日申請の台湾申請番号９２２２１５２５の優先権を主張するものである。
【背景技術】
【０００２】
情報時代である現在において、エレクトロニクスによる通信が日常生活での重要部分になっている。エレクトロニクス通信機器、殊に携帯電話やワイヤレス通信機能のあるエレクトロニクス機器のようなポータブルの通信機器が、個人間でメッセージを送るために一般的に使われている。一般的な携帯電話にはケース、通信モジュール、マンマシンインターフェイス（ＭＭＩ）があり、そのとき通信モジュールはケーシングの内部に配置され、マンマシンインターフェイス（ＭＭＩ）はケーシング上に配置されて通信モジュールと電気的に繋がっている。マンマシンインターフェイスには例えば、キーボード、マイク、スピーカー、フラットディスプレイなどが含まれる。消費者の関心を引き消費者の購買力をそそるために、携帯電話の外側デザインは絶えず変化している。さらに、ユーザーが容易に持ち運びできるように、携帯電話の寸法を小さくする必要もある。
【０００３】
携帯電話を選ぶにあたって、一般的に消費者は電話の価格と機能について考える。しかしながら現在では、消費者は携帯電話の外観にさらに重点を置いている。結果として、携帯電話の外側デザインは徐々に、元々の質素な格好から色々なファッション性のある格好や形状に移っている。電話の外観の美しさが良くなるだけでなく、電話の取り扱いも快適になっている。全体として言えば、携帯電話の外観を適切なものにすることに加えて、ケースを異なった形状に置き換えることもあり、または色を変え或いはアクセサリー（例えば携帯電話用ベルトクリップやハンドストラップ）により携帯電話のユニークさや魅力を強調することもある。
【０００４】
しかしながら、アクセサリーを付けたり、ケースを異なった形状やカラーのものに変えても、携帯電話の外観は元となるケース形状に制限される。よって、携帯電話の外観を更に変える余地は非常に少ない。携帯電話を買おうとする消費者の欲望および携帯電話販売を刺激する方法、そして携帯電話市場を活性化する方法は、携帯電話業界の人々にとっての努力の対象である。
【考案の開示】
【考案が解決しようとする課題】
【０００５】
本考案では人形型携帯電話を提供する。ワイヤレス通信機能は別にして、本考案による携帯電話は、消費者の購買意欲を刺激するために、携帯電話の外観をユニークで用途が多様な改良策を提供する。
【課題を解決するための手段】
【０００６】
本考案の課題に従い、ケース、ソフト外装、通信モジュール、マンマシンインターフェイス（ＭＭＩ）を備えた人形型携帯電話を提供する。ケースには、頭部、本体、そして少なくとも一つの脚部があり、脚部と頭部は本体に繋がっており本体の回りに回転するようになっている。さらに、ソフト外装はファスナーによりケース表面をカバーして固定されており、ファスナーはそれぞれケース表面およびソフト外装表面に配置されている。通信モジュールはケースの内側に配置され、通信信号を送受信する。ＭＭＩはケース上に配置され、通信モジュールをコントロールするために通信モジュールと電気的に繋がっている。更にＭＭＩには、コマンド入力ユニット、音声入力ユニット、音声出力ユニット、画像出力ユニットがある。
【０００７】
本考案の人形型携帯電話によれば、ファスナーには例えばマジックテープおよびフックなどが含まれる。
【０００８】
本考案の人形型携帯電話によれば、ソフト外装用材料には例えば種々の織物および皮革が含まれる。
【０００９】
本考案の人形型携帯電話によれば、画像出力ユニットをケース頭部に配置している。画像出力ユニットは基本的に、例えば顔を表示するのに適している丸い形状となっている。
【００１０】
本考案の人形型携帯電話によれば、コマンド入力ユニットおよび画像出力ユニットは一体で、タッチパネルの画面となっている。
【考案の効果】
【００１１】
上述により、本考案の人形型携帯電話は人形に似たケースを用いている。ソフト外装はケース上にありユーザーの好みにより変えることができる。よって、本考案の人形型携帯電話は独自の外観を有することができる。消費者の関心を引き購買意欲を刺激するだけでなく、上記のソフト外装は又、携帯電話の衣裳のためのマーケットも促進する。
【００１２】
前述の全般的な説明および後述の詳細な説明のいずれも例示的なものであることを理解願い、本考案について請求範囲として更に説明する。
【考案を実施するための最良の形態】
【００１３】
【実施例１】
【００１４】
図１Ａおよび１Ｂに関して、図１Ａは本考案の第一実施例による人形型携帯電話の外観を示す概略図であり、図１Ｂは本考案の第一実施例による人形型携帯電話の通信モジュールとマンマシンインターフェイスを示すブロック図である。本考案の第一実施例による人形型携帯電話１０１には、ケース１１０、ソフト外装１２０、通信モジュール１３０、マンマシンインターフェイス（ＭＭＩ）１４０がある。ケース１１０には、頭部１１２、本体１１４、複数の脚部１１６があり、頭部１１２と脚部１１４は、ケース１１０表面の一部と、例えば本体１１４の一部または脚部１１６とファスナー１２２により繋がっている。ファスナー１２２は、ケース１１０表面の一部、例えば本体１１４の背面に、またはソフト外装１２０表面の一部、例えばソフト外装１２０の上部に配置されている。さらに、通信モジュール１３０をケース１１０に設けて通信信号を送受信する。さらに、マンマシンインターフェイス１４０をケース１１０に配置しており、通信モジュール１３０と電気的に繋いで通信モジュール１３０をコントロールする。マンマシンインターフェイス１４０には、コマンド入力ユニット１４０ａ、音声入力ユニット１４０ｂ、音声出力ユニット１４０ｃ、画像出力ユニット１４０ｄがある。
【００１５】
図１Ａに関して、ケース１１０の頭部１１２および脚部１１６は、本体１１４から取り外し可能または回転可能になっており、頭部１１２が回転する、または本体１１４と相対的に上下に傾き、そして脚部１１６は色々のポーズをとるようになっている。頭部１１２に例えば毛髪、眼、耳、鼻、口などをつけ、他方、脚部１１６には例えば手、足、尻尾などをつけられることに注目する価値がある。脚部１１６には更に、脚部が異なったポーズをとれるように、複数のジョイントをつけることができる。人形型携帯電話１０１には更に、ケース１１０の内部に駆動装置を配置することもあり、頭部１１２を動かし、脚部を動かしたり振ったりすることができ、この動きを受信呼び出し機能や他の機能に使うことができる。
【００１６】
さらに図１Ａに関して、人形型携帯電話１０１のケース１１０を人間の形状にデザインすると、ソフト外装１２０にはシャツ、ズボン、スーツ、あるいは別のアクセサリーなどのような衣類をつけることができる。ソフト外装１２０により人間の形状をしたケース部分を被うことができる。人形型携帯電話１０１のケース１１０を動物の形状にデザインすると、ソフト外装１２０は動物の毛髪で、動物形状ケース１１０の部分を被うこともできる。よって、ソフト外装１２０の材料には織物や皮革などを含めることができる。注目する価値があることは、ケース１１０にソフト外装１２０を確実につけるために、ケース１１０にソフト外装１２０を着せるだけでなく、例えばマジックテープ、磁気または金属フック、接着剤、ボタン、紐、または別の種類の留め具など、締結部材１２２を使ってケース１１０にソフト外装１２０を固定することもある。
【００１７】
図１Ｂに関して、通信モジュール１３０はケース１１０の内側、例えばケース１１０の頭部１１２または本体１１４の内側に配置している。加えて、通信モジュール１３０にはワイヤレス通信および別の付加機能が備わっている。通信モジュール１３０には、マイクロプロセッサー、メモリーデバイス、ワイヤレス通信回路、装置の電源供給（図示していない）などを含んでいる。
【００１８】
さらに図１Ｂに関して、マンマシンインターフェイス１４０はユーザーと人形型携帯電話１０１間の情報伝達媒体としての役割をする。よって、マンマシンインターフェイス１４０には、コマンド入力ユニット１４０ａ、音声入力ユニット１３０ｂ、音声出力ユニット１４０ｃ、画像出力ユニット１４０ｄを含んでいる。コマンド入力ユニット１４０ａは例えば、キーパッド（またはキーボード）であり、例えばケース１１０の本体１１４のように大きな表面積をもつケース１１０領域に配置され、通信モジュール１３０と電気的に繋がっている。さらに、音声入力ユニットは例えばマイクであり、例えばケース１１０の本体１１４または脚部１１６でケース１１０に取り付けるか隠すことができ、通信モジュール１３０と電気的に繋がっている。さらに、音声出力ユニット１４０ｃは例えばスピーカーであり、例えばケース１１０の頭部１１２または脚部１１６でケースに取り付けるか隠すことができる。画像出力ユニット１４０ｄは例えばフラット画面のディスプレーである。画像出力ユニット１４０ｄも、例えばケース１１０の頭部１１２や脚部１１４のように大きな表面積をもつケース１１０領域に配置することができる。
【００１９】
図１Ｃに関して、図１Ｃは本考案の第一実施例による人形型携帯電話のソフト外装に被われたコマンド入力ユニットおよび画像出力ユニット遠視概略図である。人形型携帯電話１０１の美しさを強調するために、通常は使っていないマンマシンインターフェイス１４０（即ち、コマンド入力ユニット１４０ａと画像出力ユニット１４０ｄ）を完全に隠す。ソフト外装１２０を使って、コマンド入力ユニット１４０ａと画像入力ユニット１４０ｄを被うことができる。よって、ユーザーが人形型携帯電話１０１を使用する時に、ソフト外装１２０の一部を横に動かして、コマンド入力ユニット１４０ａと画像入力ユニット１４０ｄを表に出すことができる。
【実施例２】
【００２０】
実施例１と較べて、実施例２では、コマンド入力ユニットと画像出力ユニットをタッチパネル画面に一体化したマンマシンインターフェイスを提供する。タッチパネル画面を例えばケースの頭部に直接配置して、人形の顔の表情をあらわす。本考案の実施例２における通信モジュールとマンマシンインターフェイスの詳細は、実施例１と似ており、ここで更には繰り返さない。以下の説明では本考案の実施例２の特徴とする点を述べる。本考案の実施例２も例として人の形状をした携帯電話を使用することに注意する必要がある。しかしながら、人の形状をした携帯電話に限定されるものでなく、別の形状をした携帯電話にも適用できる。
【００２１】
図２Ａに関して、図２Ａは本考案の第二実施例による人形型携帯電話の外観を示す概略図である。図１Ａにおけるコマンド入力ユニット１４０ａと画像出力ユニット１４０ｄは、図２Ａのタッチパネル画面１４０ｅに一体化されている。言い換えれば、図２Ａのタッチパネル画面１４０ｅは、図１Ｂのコマンド入力ユニット１４０ａと画像出力ユニット１４０ｄに置き換えることができる。タッチパネル画面１４０ｅをケース１１０の頭部１１２に配置することができ、またはケース１１０の頭部１１２としての役割をさせられることに、改めて注意する必要がある。よって、適切なプログラムを使うことにより、人形型携帯電話１０２の頭部１１２にあるタッチパネル画面１４０ｅは、色々な顔または顔の表情を表すことができる。例えば、人形型携帯電話１０２に着信すると、タッチパネル画面が発信者についての絵を表示することができ、あるいはタッチパネル画面が顔を表示するように設定して電話使用時に別の楽しみを提供する。さらに、タッチパネル画面１４０ｅの形状を基本的に丸くし飛び出した表面を有しているので、三次元として認識できる顔を表すことができる。
【００２２】
図２Ｂを参照すると、同図はコマンド入力画面になる図２Ａのタッチパネル画面の概念図である。ユーザーが電話をダイアルするかまたは電話の他の機能を使用すると、タッチパネル画面表示が、タッチパネル画面１４０ｅがコマンド入力画面になり、ユーザーがタッチパネル画面１４０ｅに表示されたキーを押して人形型携帯電話１０２を操作する。
【００２３】
また、タッチパネル画面１４０ｅを使って図１Ｂのコマンド入力ユニット１４０ａと画像出力ユニット１４０ｄを置き換えているにも拘らず、実施例１の画像出力ユニット１４０ｄを例えばケース１１０の頭部１１２に配置する、または画像出力ユニット１４０ｄは例えばケース１１０の頭部１１２としての役割を直接的に行なう。さらに、コマンド入力ユニット１４０ａはケース１１０の本体１１４上に保持される。したがって、頭部１１２にある画像出力ユニット１４０ｄを使って、色々な顔や顔の表情を表示することができる。
【産業上の利用可能性】
【００２４】
本考案によれば、人形型携帯電話では人形のようなケースを使用する。人形型携帯電話は異なったケース（例えば、人の形状や動物の形状）に変えることにより、簡単に種々の外観とすることができるので、消費者の関心を引き購買力を増加する。
【００２５】
さらに、この時の人形型携帯電話は人形状のケースに被せたソフト外装を有している。結果として、人形型携帯電話用のソフト外装およびアクセサリーが大きな新しい市場を創生する。
【００２６】
さらに、本考案による人形型携帯電話では、マンマシンインターフェイスの画像出力ユニットおよびコマンド入力ユニットをタッチパネル画面に一体化することができる。ユーザーの好みにより異なった顔や顔の表情を表すことができるので、電話を使用して追加の楽しみを提供する。
【００２７】
当該分野で精通したものには、本考案の意図や適用範囲から外れることなく、本考案の構造に対して種々の修正や変形体を設けられることは明らかである。前記の観点から、本考案は、実用新案登録請求の範囲および同等のものの範囲に相当するなら、本考案の修正や変形体もカバーするものである。
【００２８】
添付の図は本考案をより理解するために提供されており、この明細書に組み込まれてその一部を構成している。図は本考案の実施例を示しており、記述と一緒で本考案の原理を説明するためのものである。
【図面の簡単な説明】
【００２９】
【図１Ａ】本考案の第一実施例による人形型携帯電話の外観を示す概略図である。
【図１Ｂ】本考案の第一実施例による人形型携帯電話の通信モジュールとマンマシンインターフェイスを示すブロック図である。
【図１Ｃ】本考案の第一実施例によるソフト外装に被われたコマンド入力ユニットおよび画像出力ユニット遠視概略図である。
【図２Ａ】本考案の第二実施例による人形型携帯電話の外観を示す概略図である。
【図２Ｂ】コマンド入力画面になった図２Ａのタッチパネル画面の概略図である。
【符号の説明】
【００３０】
１０１、１０２    人形型携帯電話
１１０    ケース
１１２    頭部
１１４    本体
１１６    脚部
１２０    ソフト外装
１２２    ファスナー、締結部材
１３０    通信モジュール
１４０    マンマシンインターフェイス
１４０ａ  コマンド入力ユニット
１４０ｂ  音声入力ユニット
１４０ｃ  音声出力ユニット
１４０ｄ  画像出力ユニット
１４０ｅ  タッチパネル画面
【図１Ａ】
0003104727.tif 000003
【図１Ｂ】
0003104727.tif 000004
【図１Ｃ】
0003104727.tif 000005
【図２Ａ】
0003104727.tif 000006
【図２Ｂ】
0003104727.tif 000007